(57)【要約】【課題】補修や交換を容易にしたときの搬送物収納作業を改善する。【解決手段】エアクッション部３６，３８Ａ等を容器本体の各内面に取り付けるに当たり、底面板２２以外の面板２４Ａ等に対応して設けられたエアクッション部３８Ａ、３８Ｂ、３９の周縁部近傍に、該周縁部の垂下防止用の仮止め部４３Ａ，４３Ｂ，４３Ｅを設け、その中央部に面板への固定用本止め部４２Ａ，４２Ｂ，４２Ｅを設ける。エアクッション部はその中央部のみが容器本体に固定されているため、エアクッション部の取り外しが簡単になり、補修や交換も簡単である。エアクッション部の周縁部が容器本体に拘束されていないため、エアクッション部の膨出状態に倣う容器本体の変形が抑止される。仮止め部によってエアクッション部の周縁部の垂下を防止でき、搬送物の収納が容易になり、スムーズなエア注入作業を実現できる。【選択図】        図１０
2006219183.tif 000002
【特許請求の範囲】
【請求項１】
容器本体の内面にエアの注入によって膨出するエアクッション部が設けられたエアクッション部付き搬送容器において、
上記容器本体の底面部以外の各面部に対応して設けられたエアクッション部の周縁部近傍に、該周縁部の垂下防止用の仮止め部が設けられると共に、該エアクッション部の略中央部に上記面部への固定用本止め部が設けられた
ことを特徴とするエアクッション部付き搬送容器。
【請求項２】
上記仮止め部は、舌片状をなす剥離可能な係合部材が使用され、
上記エアクッション部へのエア注入によって上記面部からこのエアクッション部の周縁部を剥離できるように設けられた
ことを特徴とする請求項１記載のエアクッション部付き搬送容器。
【請求項３】
上記本止め部は、舌片状をなす接合部材によって上記面部に固定された
ことを特徴とする請求項１記載のエアクッション部付き搬送容器。
【請求項４】
上記底面部に対応したエアクッション部にあっては、
該エアクッション部の周縁部のうち少なくとも四隅に上記仮止め部が設けられた
ことを特徴とする請求項１記載のエアクッション部付き搬送容器。
【請求項５】
上記面部のうち上記容器本体の側壁面をなす面部に対応したエアクッション部にあっては、
該エアクッション部の周縁部のうち少なくとも上記容器本体の頂面部側の隅部近傍に上記仮止め部が設けられた
ことを特徴とする請求項１記載のエアクッション部付き搬送容器。
【請求項６】
上記面部のうち、上記容器本体の頂面をなす面部に対応したエアクッション部にあっては、
該エアクッション部の周縁部のうち、少なくとも四隅に上記仮止め部が設けられたことを特徴とする請求項１記載のエアクッション部付き搬送容器。
【請求項７】
容器本体の内面にエアの注入によって膨出するエアクッション部が設けられたエアクッション部付き搬送容器において、
上記容器本体の面部に対応して設けられた少なくとも１つのエアクッション部の略中央部に上記面部への固定用本止め部が設けられたことを特徴とするエアクッション部付き搬送容器。
【発明の詳細な説明】
【技術分野】
【０００１】
この発明は緩衝機能を備えて物品の搬送用途に用いられるエアクッション部付き搬送容器に関する。詳しくはエアクッション部を容器本体の内面に取り付けるに当たり、底面部以外の面部に対応して設けられたエアクッション部の中央部などに面部への固定用本止め部を設けることによって、エアの圧力が面部を変形させないようにすると共に、エア注入前のエアクッション部周縁部の垂下を防止することで、搬送物の収納およびエア注入を容易にしたものである。
【０００２】
また、固定用本止め部に加え、エアクッション部の周縁部近傍に該周縁部の垂下防止用の仮止め部を設けることで、さらに垂下防止効果を高めることができるようにしたものである。
【背景技術】
【０００３】
小型の荷物などは通常宅配業者に配送を依頼することが多い。宅配業者に依頼するには送り届けるべき荷物（搬送物）を段ボール箱や、宅配業者指定の梱包箱（以下搬送容器という）に詰め込む。段ボール箱を利用するときには、別途購入したりスーパー等から廃段ボール箱を入手したりする場合が多いので、意外と手間がかかる。また、自宅等に保管されている段ボール箱を用いる場合もあるが、常時段ボール箱を保管しておくのは、その保管場所の確保が大変である。
【０００４】
搬送物は緩衝材に包まれて搬送容器内に収納されるのが殆どである。緩衝材としては一般に新聞紙、発泡ウレタンフォームやエアマット、エアキャップなどが利用されることが多い。
【０００５】
搬送物が荷受け主に到着すると、搬送容器を開封し、梱包物を取り出すが、このとき使用された搬送容器や緩衝材として使用した新聞紙や発泡ウレタンフォームなどは何れも廃棄処分される場合が多く、特に緩衝材として使用された発泡ウレタンフォームなどは殆どの場合廃棄されてしまう。搬送容器も同様な運命を辿る場合が多い。これは、資源の無駄使いとなる。
【０００６】
このような観点から、近年緩衝材、搬送容器とも、再利用できるような提案がなされている（例えば、特許文献１）。このような目的を達成するために使用される搬送容器（梱包用パッケージ）は、その内部に緩衝材としてのエアクッション部を備えたものであって、搬送容器自体も再利用可能な材質が使用されている。
【０００７】
搬送物を荷受け主に届けてからこの搬送容器を回収すれば、何回でも再利用することができるので、再利用可能な搬送容器を使用した物流システムを構築することができる。またこうすれば、殆ど廃棄処分すべきものがなくなるので、資源の有効活用に繋がると同時に、配送料などのコストを削減でき、よりよいサービスを提供できる実益を有する。
【０００８】
【特許文献１】特開平６−４０４７４号公報
【発明の開示】
【発明が解決しようとする課題】
【０００９】
ところで、特許文献１に開示されたエアクッション部を備えた搬送容器にあっては、袋状をなすエアクッション部のうち、箱体の内面に接触する部分はこの箱体内面に接着された状態で固定されている。つまり、図１９に示すように箱体２００の内面２００ａにエアクッション部２０２の接触面２０２ａ全体が固着されている。
【００１０】
搬送物２０４をこの箱体２００内に収納するようなとき、この搬送物２０４などによってエアクッション部２０２が傷つけられることがある。エアクッション部２０２に傷が付くとエア漏れが発生するので、エア漏れがあったエアクッション部２０２を補修するなり、交換しなければならない。
【００１１】
しかし、エアクッション部２０２をこのように箱体２００に固着してしまうと、エアクッション部の補修がし難くなり、エア漏れを起こしたエアクッション部のみを交換するにしても、このエアクッション部を箱体２００から剥離しなければならないことから簡単には交換できない。そのため、通常の場合にはエア漏れを起こした搬送容器自体を廃棄処分することが多い。
【００１２】
このような無駄を省き、エア漏れなどを起こしたエアクッション部のみを補修したり、交換し易くするには、例えば図２０に示すようにエアクッション部自体を箱体に固着するのではなく、分離可能なように例えば、箱体とは完全に分離独立した状態として設けることが考えられる。
【００１３】
図２０のように構成した場合には、補修や交換が容易になる反面、エアクッション部２０２が箱体に固定されていないために、今度は搬送物を箱体に収納したり、エアを注入するときの妨げとなるおそれがある。
【００１４】
例えば、箱体に対してエアクッション部２０２を完全にフリーにすると、図２１および図２２に示すように箱体内の各内面に存在するエアクッション部２０２を矢印のように抑えながら搬送物２０４を収納しなければならない。したがって搬送物の収納が非常に面倒になる。エアクッション部２０２の位置もばらつきが生じ、図２３のように、前後左右に亘りバランスのとれた状態でエア注入が行われる頻度も低くなり、このことは充分な緩衝効果を期待できないことになる。
【００１５】
搬送物２０４を収納した状態で、搬送容器と搬送物２０４との隙間にエアクッション部２０２を差し入れることも考えられるが、エア注入用の連結管がエアクッション部２０２とエアクッション部２０２との間に存在するので、そのような構成のエアクッション部２０２を使用するときは、その隙間にエアクッション部２０２を差し入れることもできない。
【００１６】
また、搬送容器と分離独立した状態のエアクッション部２０２にエアを注入すると、図２３のようにエアクッション部２０２が均等に膨出するから、箱体内面の中心部にエアの圧力が集中する傾向が強くなり、箱体を変形させてしまうことにもなり兼ねない。
【００１７】
そこで、本発明はこのような従来の課題を解決したものであって、エアクッション部を容器本体の各内部に取り付けるに当たり、底面部以外の面部に対応して設けられたエアクッション部の周縁部近傍に、該周縁部の垂下防止用の仮止め部を設け、その中央部には面部への固定用本止め部を設けることによって、エア注入前のエアクッション部周縁部の垂下を防止すると共に、エアの圧力が面部の局所的な部位に集中しないようにしたエアクッション部付き搬送容器を提案するものである。
【課題を解決するための手段】
【００１８】
上述の課題を解決するため、請求項１に記載したこの発明に係るエアクッション部付き搬送容器では、  容器本体の内面にエアの注入によって膨出するエアクッション部が設けられたエアクッション部付き搬送容器において、
上記容器本体の底面部以外の各面部に対応して設けられたエアクッション部の周縁部近傍に、該周縁部の垂下防止用の仮止め部が設けられると共に、該エアクッション部の略中央部に上記面部への固定用本止め部が設けられた
ことを特徴とする。
【００１９】
この発明では、搬送容器本体の内面のそれぞれに、それぞれエアクッション部が取り付け固定される。その固定は内面全体に対してではなく、部分的な固定である。この例ではエアクッション部の中央部のみが面部に固定される。これが面部に対するエアクッション部の本止め部となる。これに対してエアクッション部の周縁部近傍に、この周縁部の垂下防止用の仮止め部が設けられる。
【００２０】
まず、面部としての底面板に関連するエアクッション部には特に本止め部や仮止め部を設ける必要はないが、紛失防止、位置ずれ防止などの観点から本止め部を設けることが好ましい。
本止め部自身は小面積の接触面積であって、エアクッション部に振動などが加わっても剥がれ落ちない程度の、例えば数ミリ角の接触面積を有する舌片が使用される。底面板への取り付けは、接着剤を使用して固着したり、係合力が強い面ファスナーなどを使用して固定することが考えられる。面ファスナーを使用する場合にはこのエアクッション部を比較的簡単に底面板に取り付けたり、取り外せる特徴がある。
【００２１】
底面板以外の面部には本止め部と仮止め部の双方が設けられる。まず容器本体の側壁面を構成する面部としての側面板には、そのほぼ中央部に上述した本止め部が設けられる。そして、エアクッション部の周縁部のうち、面部としての頂面板側の四隅近傍（２か所）に仮止め部が設けられる。仮止め部の大きさと形状は本止め部と同様の大きさと形状を有する舌片を使用することができる。
【００２２】
仮止め部は、エアが注入される前は周縁部の垂下を防止するように側面板に固定された状態を保持するも、エアが注入されたときはエアクッション部の膨出によってその周縁部が側面板側から剥離する程度の仮止め力を持った係合材が使用される。したがって、この仮止め部としては係合力の弱い面ファスナーなどが利用される。面ファスナーは接着剤などによって側面板およびエアクッション部に取り付け固定される。
【００２３】
頂面板側に位置する周縁部のみに仮止め部を設けたのは、搬送容器を箱体に組み立てたとき頂面板側の周縁部のみが箱体内部に垂下するためである。
【００２４】
これに対して頂面板に関連したエアクッション部には、その中央部に本止め部が設けられると共に、エアクッション部の周縁部の四隅近傍（４か所）に仮止め部が設けられる。搬送容器を箱体に組み立てたときには、エアクッション部の四隅全てが垂下するので、この場合には４か所の四隅のそれぞれに仮止め部が設けられることになる。本止め部、仮止め部とも上述したと同様な構成が採用されている。
【００２５】
仮止め部によってエアクッション部の特に周縁部の垂下を防止できるので、エアクッション部に邪魔されることなく、搬送物を容器本体内に収納できる。搬送物を収納した後のエア注入によってエアクッション部が膨出するが、このとき、注入された圧力はエアクッション部の内部に略均一に作用する。このため、エアクッション部の周縁部の膨出度合が大きくなると、エアクッション部の周縁部に容器本体から離れようとする力が作用することになり、この力が仮止め部の仮止め力以上になると、仮止め部の係合が外れる。これにより、エアクッション部の周縁部は容器本体に拘束されていない状態となる。
【００２６】
このとき、エアクッション部は中央部の本止め部によって各面部に固定されているものの、膨出状態にあるエアクッション部の周縁部が容器本体に拘束されていないため、エアクッション部の膨出状態に倣う容器本体の各面部の変形が抑止される。
【００２７】
また、エアクッション部の中央部が面板に固定されているので、エア注入後のエアクッション部の位置が安定する。これによって搬送物の周囲をエアクッション部によって略均等に保持できるので、外部衝撃から搬送物を有効・確実に保護できる。
【００２８】
上述したような仮止め部を設けることなく、エアクッション部の中央部のみ本止め部を設けて各面部に固定する構成としてもよい。
【００２９】
梱包を解くときは、エアクッション部に設けられた給排気弁（エア注入口）を変形させるなどしてエアを抜き取る。その後、容器内部より搬送物を取り出してから搬送容器を解体する。
【００３０】
解体した後、容器の各面部を適当に折り畳んで回収して、再利用を図る。したがってこのエアクッション部付き搬送容器は配送業者などによって回収したのち搬送容器の販売店（コンビニエンスストア）などに届けられて再利用が図られる。
【００３１】
搬送容器が販売店などで販売されることを考慮すると、この種販売装置（販売・梱包装置）は、搬送容器等の販売のみならず、搬送物の収納、封印、エア注入、配送伝票の発行までを同一の装置上で全て作業できるように構成されている方が便利である。
【００３２】
そのためこの種販売・梱包装置を構成する場合には、この種装置は少なくとも配送伝票発行手段、容器販売手段およびエア注入手段を具備することが好ましい。さらに好ましくはこれらの手段に加えて搬送物のサイズを判定する簡易判定部、簡易包装袋の袋販売手段を具備することが好ましい。搬送物は直接搬送容器内に収めることができるが、好ましくは簡易包装袋を中袋として使用した方がよい。緩衝効果が高まるためである。この販売・梱包装置に内蔵されたエアコンプレッサによってエアの注入がなされる。
【発明の効果】
【００３３】
この発明では、エアクッション部を容器本体の各内面に取り付けるに当たり、底面部以外の面部に対応して設けられたエアクッション部の周縁部近傍に、該周縁部の垂下防止用の仮止め部を設け、その中央部に面部への固定用本止め部を設けたものである。
【００３４】
また、この発明ではエアクッション部の中央部などに面部への固定用本止め部を設けたものである。
【００３５】
これによれば、エアクッション部はその中央部のみが容器本体に固定されているため、エアクッション部の容器本体からの取り外しが簡単になる。そのため個々のエアクッション部の補修や交換を容易に行うことができる。
【００３６】
また、エアクッション部の固定位置が安定することに加え、容器本体の面部がエアクッション部の膨出に倣うことがなくなり、面部の変形などを防止できる。
【００３７】
さらに、エアクッション部に仮止め部を設けることによってエアクッション部の周縁部の垂下を防止できるから、搬送物の収納が容易になると共に、スムーズなエア注入作業を実現できるなどの特徴を有する。
【発明を実施するための最良の形態】
【００３８】
続いて、この発明に係るエアクッション部付き搬送容器の好ましい実施例を図面を参照して詳細に説明する。
【実施例１】
【００３９】
図１はこの発明に係るエアクッション部付き搬送容器２０の一例を示す。この搬送容器２０は展開図からも明らかなように直方体形状となるような六面体で構成され、容器本体の面部としての各面板２２，２４Ａ，２４Ｂ，２６Ａ，２６Ｂ，２８の内面にエアクッション部３６、３８、３９がそれぞれ取り付け固定されて構成される。エアクッション部３６，３８，３９の各面板への部分的な固定は、接着や縫合が考えられる。以下の例は比較的その係合力が強い面ファスナーを使用して固定する場合を示す。
【００４０】
この搬送容器２０は折り畳みやすく構成されているため、底面部としての底面板２２を中心としてその回りに側壁面をなす面部としての４つの側面板２４Ａ，２４Ｂおよび２６Ａ、２６Ｂを配置した構成となされ、そのうち左側面板２４Ａに頂面をなす面部としての頂面板（蓋部）２８が連結されて構成される。図１の例は略直方体形状の箱体として構成されており、底面板２２と頂面板２８が略正方形状をなす。
【００４１】
これら面板２２〜２８は一例として何れも厚さが１ｍｍ程度のアルミニウム板が使用されており、箱体として組み立てられたとき対応する面板同士が適切な手段（一例として図示しないヒンジ機構）によって相互に連結される。
【００４２】
すなわち、この搬送容器２０は再利用可能な容器として構成されるものであるから、上述したように損傷しにくく、しかも軽量な材質である例えばプラスチック材や金属材などが使用されている。この目的を達成するものであれば、例えば強化段ボール箱のような非金属材で搬送容器を構成することもできる。搬送容器２０は略立方体構成でもよい。サイズは問わない。
【００４３】
これら面板２２〜２８の内面にはエアクッション部３６，３８、３９が取着される。ここに、エアクッション部３６および３９は底面板２２および頂面板２８用のエアクッション部であり、エアクッション部３８はその他の面板（ほぼ長方形状をなす側面板）に取着されるエアクッション部であり、全てのエアクッション部３６，３８，３９は連結管４０（４０Ａ〜４０Ｅ）によって相互にエア流通可能に接続されている。
したがってこの例では頂面板２８に関連するエアクッション部３９に１つの給排気弁４４が取り付けられ、この給排気弁４４からのエア注入によって全てのエアクッション部３６，３８，３９に所定量のエアが送給される。
【００４４】
これらエアクッション部３６，３８，３９の構成およびこれらと面板２２，２４，２６，２８との関係については後述する。
【００４５】
搬送容器２０は、その底面板２２を底面とした箱体として組み立てられた後、その内部に搬送物が収納され、そしてエア注入が行われる。そのため、容器本体を構成する各面板２２〜２８の外面側には、箱型の搬送容器２０として各面板２２〜２８を組み立てたときの緊締機構３０が設けられている。
【００４６】
図２にその一例を示す。箱型に組み立てられたときフリーな面板同士を相互に連結するために緊締機構３０が設けられるものであって、この例では、各側面板２４Ａ、２４Ｂ、２６Ａ、２６Ｂ同士を緊締し、頂面板２８を右側面板２４Ｂに緊締するために緊締機構３０が設けられている。
【００４７】
図２は緊締機構３０を一対のバンド（ベルト）３２と、それを止める台座３４で構成した場合を示す。この例では左右および前後の各側面板２４Ａ，２４Ｂ，２６Ａ、２６Ｂの所定位置に、それぞれバンド３２と台座３４とが設けられ、頂面板２８にはバンド３２のみが設けられ、これに対向して右側面板２４Ｂには台座３４が設けられている。
【００４８】
搬送容器２０を箱型に組み立て、緊締機構３０を使用して緊締すると図３のようになる。図４は緊締機構３０の一部の使用状態（緊締状態）の要部断面図である。図４に示すように、バンド３２の先端部には留め金３２ａが設けられ、留め金３２ａを利用して台座３４に緊縛した状態で係止させることで側面板この例では２６Ｂと２４Ｂが相互に連結固定される。このように全ての緊締機構３０を使用して緊締すると搬送容器２０は図３のような箱型の梱包体となる。なお、搬送容器２０が箱型の梱包体の状態を維持可能なように構成されているときには、本実施例の緊締機構は必ずしも必要ではない。
【００４９】
さて、この発明では、搬送容器本体の内面のそれぞれにエアクッション部が取り付け固定されるが、その固定は内面全体に対してではなく、部分的な固定である。この例ではエアクッション部の中央部のみが面板に固定される。これが面板に対するエアクッション部の本止め部となる。これに対してエアクッション部の周縁部近傍には、この周縁部の垂下防止用の仮止め部が設けられる。
【００５０】
まず、底面板２２に関連するエアクッション部３６から説明すると、底面板２２には特に本止め部や仮止め部を設ける必要はないが、紛失防止や位置ずれ防止などの観点からこの例では図１に示すようにエアクッション部３６のほぼ中央部であって、底面板２２と接する面側に本止め部４２Ｘが設けられる。
【００５１】
本止め部４２Ｘ自身は小面積の接触面積であって、このエアクッション部３６に振動などが加わっても剥がれ落ちない程度の、例えば数ミリ角の接触面積を確保する大きさと形状のものが使用される。図１ではほぼ長方形をなす舌片が本止め部４２Ｘとして使用される。
【００５２】
本止め部４２Ｘとして面ファスナーを使用した場合を図５に示す。エアクッション部３６側にオス型の面ファスナーを取り付けたときには、底面板２２側にはメス型の面ファスナーが取り付けられる。面ファスナーは接着剤などを使用してエアクッション部３６と底面板２２とに固定される。底面板２２には側面板２４Ａ，２４Ｂを直立させるためにＶ字溝３５が設けられている。
【００５３】
エアが注入されると図６のようにエアクッション部３６が膨出する。エアクッション部３６が膨出しても本止め部４２Ｘによってこのエアクッション部３６は底面板２２に固定された状態を保持する。本止め部４２Ｘとして、面ファスナーを使用する場合にはこのエアクッション部３６を簡単に取り付け、取り外しができる特徴がある。
【００５４】
底面板２２以外の面板には本止め部と仮止め部の双方が設けられる。まず４つの側面を構成する４枚の側面板２４Ａ，２４Ｂおよび２６Ａ，２６Ｂには、図１に示すようにそのほぼ中央部に上述した本止め部４２（４２Ａ，４２Ｂ，４２Ｃ，４２Ｄ）が設けられる。そして、エアクッション部３８Ａ，３８Ｂ，３８Ｃ，３８Ｄの各周縁部３７のうち、頂面板側の隅部（２か所）近傍にそれぞれ仮止め部４３（４３Ａ，４３Ｂ，４３Ｃ，４３Ｄ）が設けられる。仮止め部４３も本止め部４２Ｘと同様の大きさを有する舌片が使用されている。
【００５５】
仮止め部４３Ａ〜４３Ｄは、エアが注入される前は周縁部３７の垂下を防止するように側面板２４Ａ，２４Ｂ，２６Ａ，２６Ｂに固定された状態を保持するも、エアが注入されたときはエアクッション部の膨出によってその周縁部３７が側面板側から剥離する程度の仮止め力を持たせた係合材である。したがって、この仮止め部４３Ａ〜４３Ｄとしては係合力の弱い舌片状をなす面ファスナーなどが利用される。
【００５６】
図７および図８に面ファスナーを使用したときの例を示す。図７および図８は左側面板２４Ａを中心に図示したものであって、頂面板２８側に位置するエアクッション部３８Ａの周縁部３７のうちその隅部（２か所）近傍に仮止め部４３Ａａ，４３Ａｂが設けられる。そして、この例でもオス型の面ファスナー４３Ａaaがエアクッション部３８Ａのうち左側面板２４Ａと接触する面側に取り付けられ、メス型の面ファスナー４３Ａabが左側面板２４Ａに取り付けられる。面ファスナー４３Ａａ，４３Ａｂは接着剤などによって固定することができる。
【００５７】
この仮止め部４３Ａがあるためエア注入前の段階で、搬送容器２０を箱型に組み立てて、左側面板２４Ａを直立させた場合でも、エアクッション部３８Ａのうち頂面板２８側の周縁部３７が箱体の内側に垂下するようなおそれがなくなる。
【００５８】
エアを注入しエアクッション部３８Ａが膨出して、仮止め部４３Ａの係合力よりも大きな力が作用すると図８に示すように仮止め部４３Ａ（面ファスナー４３Ａａ，４３Ａｂ）の係合が解除されるため、エアクッション部３８Ａの周縁部３７は左側面板２４Ａから離れてフリーな状態となる。したがってエア注入後はエアクッション部３８Ａは本止め部４２Ａのみで左側面板２４Ａに固定された状態となる。他のエアクッション部３８Ｂ〜３８Ｄと側面板２４Ｂ，２６Ａ，２６Ｂとの関係も同様である。
【００５９】
頂面板側に位置する隅部近傍のみに仮止め部４３Ａ〜４３Ｄを設けたのは、搬送容器を箱体に組み立てたとき頂面板側の周縁部のみが箱体内部に垂下するからである。
【００６０】
これに対して頂面板２８に関連したエアクッション部３９には、図１に示すようにその中央部に本止め部４２Ｅが設けられると共に、このエアクッション部３９の周縁部の四隅近傍（４か所）に仮止め部４３Ｅａ〜４３Ｅｄが設けられる。搬送容器２０を箱体に組み立てたときには、エアクッション部３９の四隅全てが垂下するので、この場合には４か所の四隅近傍のそれぞれに仮止め部４３Ｅａ〜４３Ｅｄが設けられることになる。本止め部４２Ｅ、仮止め部４３Ｅａ〜４３Ｅｄとも上述したと同様な構成が採用されているので、その説明は割愛する。
【００６１】
このように仮止め部４３Ａ〜４３Ｅによってエアクッション部３８Ａ〜３８Ｄおよび３９の特に周縁部３７の垂下を防止できるので（図９参照）、これらエアクッション部３８Ａ〜３８Ｄおよび３９に邪魔されることなく、搬送物８を容器本体内に収納できる（図１０参照）。
【００６２】
エアを注入してエアクッション部３８Ａ〜３８Ｄおよび３９を膨出させた状態において、エアクッション部３８Ａ〜３８Ｄおよび３９は、中央部の本止め部４２Ａ〜４２Ｅによってのみ各側面板２４Ａ，２４Ｂ，２６Ａ，２６Ｂおよび頂面板２８に固定されているから、エアクッション部３８Ａ〜３８Ｄおよび３９の膨出形状に、各側面板２４Ａ，２４Ｂ，２６Ａ，２６Ｂおよび頂面板２８が倣うことがなくなる（図１１参照）。これによって側面板２４Ａ，２４Ｂ，２６Ａ，２６Ｂおよび頂面板２８が変形したりする事態を回避できる。
【００６３】
また、図１１に示すようにエアクッション部３８Ａ〜３８Ｄおよび３９の中央部が側面板２４Ａ，２４Ｂ，２６Ａ，２６Ｂおよび頂面板２８に固定されているので、エア注入後のエアクッション部３８Ａ〜３８Ｄおよび３９の位置が安定する。これによって搬送物８をこれら複数のエアクッション部３８Ａ〜３８Ｄおよび３９によって均等に保持できるようになり、外部衝撃から搬送物８を有効・確実に保護できる。
【００６４】
上述したエアクッション部３６，３８，３９は、何れも柔軟で、損傷しにくい軟質樹脂などの素材（軟質ビニールなど）で構成される。エア連結管（連通管）４０Ａ〜４０Ｅは軟質の樹脂管（一例としてビニールチューブ）のように、可撓性に富む所定径のエア連通管が使用され、底面板２２に対して側面板２４Ａ〜２６Ｂや頂面板２８同士が直交するように組み立てられたときもエアの流通が確保されるようになされている。
【００６５】
本止め部４２や仮止め部４３の形状は任意である。実施例の他に例えば図１２Ａ〜Ｃに示すような形状が考えられる。図１２Ａは２条構成であり、図１２Ｂは十字状に構成した場合であり、図１２Ｃは楕円状に構成した場合である。
【００６６】
なお、底面板２２用のエアクッション部３６は、収納される搬送物を底面側に安定して載置・保持できるようにするため、扁平形状、例えば断面がかまぼこ状をなす複数の凸部を３本程度連立させた形状とすることもできる。
【００６７】
エアクッション部３９の一側面部には給排気弁４４が設けられ、この給排気弁４４がエア注入口として機能し、ここより全てのエアクッション部３６，３８に対して所定量のエアが注入される。そして、この給排気弁４４内の逆止弁（図示はしない）を強制開放することで全てのエアクッション部３６，３８，３９内の排気が行われる。
【００６８】
続いて、上述した搬送容器２０を販売するための販売装置（販売・梱包装置）の一例を説明する。この例は、搬送容器等の販売のみならず、搬送物の収納、封印、エア注入、配送伝票の発行までを同一の装置上で全て作業できるように構成されている。
【００６９】
そのためこの販売・梱包装置は、少なくとも配送伝票発行手段、容器販売手段およびエア注入手段を具備する。さらに好ましくはこれらの手段に加えて搬送物のサイズを判定する簡易判定部、簡易包装袋の袋販売手段を具備する。搬送物は直接搬送容器内に収めることができるが、好ましくは簡易包装袋を中袋として使用した方がよい。緩衝効果が高まるためである。
【００７０】
配送すべき荷物（搬送物）は未包装のまま搬送容器に収めて配送するのではなく、いわば中袋というべき簡易包装袋を用意し、そこにこの搬送物を入れた状態で搬送容器に収納するようにした例を述べる。
【００７１】
図１３は中袋として機能する簡易包装袋１０の一例を示す斜視図であって、この例では長細い包袋である。この簡易包装袋１０は多少厚めではあるが、生地の柔らかな紙袋か、ポリ塩化ビニール袋などを使用できる。簡易包装袋１０はその頂部に蓋１２が設けられ、その内側に設けられた両面接着テープ（図示はしない）などによって封印できる。持ち運びを考慮して紐（手提げ袋としての取っ手）１４が付いている。簡易包装袋１０の一側面には袋サイズの大きさを示す番号、中サイズを示すこの例では「２」が印刷されている。同じ内容のバーコード１８がさらに同じ一側面下部に袋サイズ表示部（袋サイズ識別部）として印刷されている。
【００７２】
この袋サイズは、簡易包装袋自体のサイズでもあり、またこの簡易包装袋１０を中袋として使用するときこの中袋を入れることができる搬送容器自体のサイズと共通している。袋のサイズは、一例として大、中、小の３種類程度が用意されている。後述する搬送容器販売・梱包装置から販売された簡易包装袋であるときは、この袋は折り畳まれた状態でこの販売・梱包装置から排出される。
【００７３】
このような簡易包装袋１０および搬送容器２０はそれぞれ図１４に示す搬送容器販売・梱包装置５０によって入手できる。
【００７４】
この搬送容器販売・梱包装置５０は、搬送物８のサイズ情報に基づいて、対応する搬送容器２０を自動販売する容器販売手段（容器販売部）５２Ａと、搬送容器２０の給排気弁４４にエアを注入するエア注入手段８０と、配送伝票発行手段とを具備する。この例では、さらに搬送物８を収める簡易包装袋１０のサイズを読み取るサイズ読み取り手段（サイズ読み取り部）を具備するが、このサイズ読み取り手段は必要に応じて設けることができる。そして、図１４正視状態における装置本体５２の右半分が容器販売部５２Ａとして機能する。なお、容器販売部５２Ａは、容器の在庫を格納しておく格納庫も備えている。
【００７５】
装置本体５２の本体上面（載置台）５３のうち図１４正視状態における右上面側は搬送物８の簡易判定部５４として機能する。簡易判定部５４は配送すべき搬送物８の大凡の大きさを測るためのもので、載置台５３上には搬送物８の容積を求めるための３種類の大きさを示す表示枠５６（５６ａ、５６ｂおよび５６ｃ）が印されている。さらに対向壁５９ｂには搬送物８の高さを示す表示枠５８（５８ａ〜５８ｃ）が印されている。したがって配送すべき搬送物８をこの本体上面５３上に載せ、側壁５９ａをガイドとして利用して対向壁５９ｂに押し当てるようにした状態で、搬送物８がどの表示枠内５６，５８に収まっているか確認することより、購入すべき簡易包装袋１０（強いては搬送容器２０）のサイズを知ることができる。
【００７６】
対向壁５９ｂには後述するエア注入手段８０を構成するエア注入用の連結チューブ８０Ａが設けられ、伸縮するこの連結チューブ８０Ａの連結口（エアガン部）８２を給排気弁４４に連結してエア注入が行われる。エア連結口８２には連結状態を確認するセンサ（オンオフスイッチであって、図示はしない）が内蔵されているものとする。エア注入を行うため、販売・梱包装置５０、この例では図１４正視状態における左半分の入力部５２Ｂの内部にエアコンプレッサ（図示はしない）が設けられている。
【００７７】
なお、ここで言うエアとは気体の総称であって、空気や不燃性のガス（窒素ガスなど）を含み、エアクッション部３６等を膨張させ得る気体全般を指す。
【００７８】
容器販売部５２Ａを構成する装置本体５２内には、少なくとも販売可能な搬送容器２０がサイズごとに収納されている。この例ではさらに簡易包装袋１０も販売可能な状態で収納されており、搬送容器２０および簡易包装袋１０ともそのサイズは一例として３種類である。搬送容器２０や簡易包装袋１０の種類数は３種類に限定されない。
【００７９】
まず、第１の収納部６０Ａには小サイズの搬送容器２０と簡易包装袋１０が収納されている。そのため、本体前面には簡易包装袋１０の取り出し口６２ａと、搬送容器２０の取り出し口６２ｂが並置して設けられている。
【００８０】
同様に、第２の収納部６０Ｂには中サイズの簡易包装袋１０と搬送容器２０が収納され、これに対応して簡易包装袋１０用の取り出し口６４ａと、搬送容器２０用の取り出し口６４ｂが並置して設けられている。同じく、第３の収納部６０Ｃには大サイズの搬送容器２０と簡易包装袋１０が収納され、これに対応して簡易包装袋１０用の取り出し口６６ａと、搬送容器２０用の取り出し口６６ｂが並置して設けられている。
【００８１】
これらに関連して簡易包装袋１０および搬送容器２０の残量表示部が装置本体、この例では本体上面５３側に設けられている。この例では簡易包装袋専用の表示部６３ａ、６５ａおよび６７ａと、搬送容器２０専用に表示部６３ｂ，６５ｂ，６７ｂがそれぞれ設けられている。表示された数値によって販売できる残量を知ることができる。
【００８２】
装置本体の左半分は入力部５２Ｂとなされ、その中央上面にはバーコードの読み取り部７０が設けられる。この読み取り部７０はサイズ読み取り部として機能する。宅配業者指定の簡易包装袋１０には図１３に示すようにサイズなどを記したバーコード１８が付されているので、この部分をサイズ読み取り部７０に近づけることで、バーコードの読み取り処理が行われ、簡易包装袋１０の袋サイズが読み取られる。読み取られたデータ（袋サイズ情報）は、配送料の算出資料として使用されると共に、排出する搬送容器２０のサイズを決めるための情報としても利用される。
【００８３】
本体上面５３の左側面上部側には配送料算出手段として利用するときの入力部７４が設けられる。この例ではタッチパネル式に構成され、ここに表示されたソフトキーを使用しながら必要な数値を入力することで配送料などの算出処理が行われる。また必要に応じてタッチパネル７４に近接して複数の操作ボタン７５が設けられている。タッチパネル７４の上部には配送伝票７８などがプリントアウトされて出力される。配送料は「どこからどこへ」という配送エリアと、搬送物、換言すれば搬送容器２０のサイズによって決まる。配送料はこれらの情報から自動的に算出される。
【００８４】
料金投入部７６は紙幣と硬貨とを投入できる構成となされている。本体上面５３に設けられた操作ボタン８４はエア注入のための表示機能付き操作ボタンである。
【００８５】
上述した説明で、簡易判定部５４でのサイズ判定においては、搬送物８そのもののサイズを測るものであるが、簡易包装袋１０に入れたままそのサイズを図ることもできる。したがって簡易包装袋１０は宅配業者指定の袋でも、それ以外の袋でも差し支えないが、この例では宅配業者指定の袋を使用した場合である。
【００８６】
装置本体内部には図示はしないが、エアコンプレッサや、簡易包装袋１０さらには搬送容器２０を装置外に排出するための排出機構（排出装置）、プリンタ機構、紙幣カウント機構、バーコード読み取り機構など、様々な装置が付設されている。エアコンプレッサにはエアリリーフ機能が付いており、所定圧以上にエアがエアクッション部３６等に注入されないようになされている。
【００８７】
上述した搬送容器販売・梱包装置５０では、搬送容器の販売、搬送物の収納、封印、エア注入、配送伝票の発行、配送料の入金までを同一の装置上で全て処理することができる。
【００８８】
このような搬送容器販売・梱包装置５０を使用して依頼者が、依頼者自らの操作によって、持参した搬送物を梱包・封印して店員に引き渡すまでの一連の処理例を符号を付しながら順を追って説明する。
【００８９】
この例は搬送物を直接搬送容器内に収めるのではなく、簡易包装袋を中袋として使用するようにした場合である。また、以下に示す操作順序はあくまでも一例であって、これに拘泥することはない。
【００９０】
（１）搬送容器販売・梱包装置５０を用いてまず簡易包装袋１０を購入する。簡易包装袋１０は複数のサイズに分かれているので、搬送物８の大きさの目安を、装置台上に設けられた簡易判定部５４を利用して判定する。そして、該当するサイズの簡易包装袋１０を指定して、料金投入部７６より料金を入れることで目的の簡易包装袋１０を購入する。該当するサイズの簡易包装袋１０が指定した取り出し口例えば６４ａから装置外に排出される。
【００９１】
（２）簡易包装袋１０にはサイズの大きさを示すバーコードなどのサイズ表示部（バーコード）１８が設けられている。装置台上のサイズ読み取り部７０にこの簡易包装袋１０を載せることでそのバーコード１８を読み取り、荷物（搬送物）の大凡のサイズを確定する。
【００９２】
（３）次に、荷主と荷受け主の郵便番号をそれぞれタッチパネル７４を用いて入力すると、配送エリア「どこ（荷主）からどこ（荷受け主）まで」が確定するので、搬送物８のサイズと配送エリアとから配送料を自動的に算出する。配送料はタッチパネル７４上に表示される。
【００９３】
（４）同時に配送伝票７８が出力される。郵便番号を入力すると番地を除いた住所が印字されて出力されるから、タッチパネル７４の対応する入力欄を使用して配送伝票７８に荷主と荷受け主の氏名をそれぞれ記入（入力）すると共に、荷主と荷受け主の番地や電話番号などの必要事項を記入することで、配送伝票７８が完成する。
【００９４】
（５）一方、読み取ったバーコードから搬送容器２０のサイズが決定されるので料金投入部７６に配送料を投入することで、簡易包装袋１０のサイズに合致した搬送容器２０が自動販売され、折り畳まれた状態で搬送容器２０が取り出し口６４ｂから装置外に排出される。
【００９５】
（６）搬送容器２０は折り畳まれて排出されるから、これを組み立て、対応する緊締機構３０を利用して必要な面板同士を連結する。
【００９６】
（７）内部に搬送物８を収納した状態で、頂面板２８を閉じる。
【００９７】
（８）給排気弁４４を利用してエアクッション部３６、３８，３９にエアの注入を行う。必要量のエアが注入されると、リリーフ機能が働いてエア注入が停止する。このエア注入にあっては、連結口８２に取り付けたセンサ（オンオフスイッチ）によって相互連結が確認されるので、相互連結が確認された状態でエア注入が行われる。
【００９８】
相互連結が確認されると、本体上面に設けられた表示灯付き操作ボタン８４が点灯するので、操作ボタン８４を押すことによってエア注入を開始することになる。
【００９９】
（９）エア注入作業終了後連結チューブ８０を外すことで、搬送物の封印（荷造り）が全て終了するから、レジで受付すれば配送手続が完了する。配送伝票７８はクリアボックス３５（図３参照）内に収納される。
【０１００】
簡易包装袋１０は予め買い置きしたものを利用することもできれば、通常の包装袋を使用することもできる。この場合にはその包装袋にはバーコードなどがないため、袋サイズは手入力となる。
【０１０１】
図１５は、この発明に係る搬送容器販売・梱包装置５０をコンピュータによって構成したときの概略ブロック図である。この発明では装置本体内に簡易包装袋１０と搬送容器２０とが収納されているので、簡易包装袋１０に対する排出機構（排出装置）９２と、それに対する残量カウンタ９４および搬送容器２０に対する排出機構（排出装置）９６と、それに対する残量カウンタ９８とがバス１１２にそれぞれ接続される。同じく残量表示部６３ａ〜６７ｂもこのバス１１２に接続される。
【０１０２】
さらに、エア注入を行うためのエアコンプレッサ１００、このエアコンプレッサ１００に関連して、エア注入に対する連結検知センサであるオンオフスイッチの出力がインタフェース１０３を介して供給される。バス１１２にはさらに配送伝票などを出力するためのプリンタ部９９や、バーコードリーダ１０１も接続されている。
【０１０３】
搬送容器販売・梱包装置５０には配送エリアや袋サイズから配送料を算出するための料金マスタ１０２が設けられている。そしてこれらの装置を総合的に制御するためのＣＰＵ１０４を始めとして、配送料の算出処理、簡易包装袋などの排出処理、残量表示処理、さらには簡易包装袋の販売からエア注入処理までの一連の処理を音声ガイドするための処理などを実行する複数の処理プログラムが格納されたメモリ手段（この例ではＲＯＭ）１０６、ワーキングメモリとしてのメモリ手段（ＲＡＭ）１０８そして入力部として機能するタッチパネル７４が上述したバス１１２にそれぞれ連結されて構成される。
【０１０４】
図１６は上述した簡易包装袋の販売からエア注入処理までの手順をガイドするための一連の処理例を示すフローチャートである。
この処理プログラムが起動されると、まずタッチパネル７４内に表示されたスタートボタン（ソフトキー。以下説明するキーも特別な場合を除いて全てソフトキーである）の状況が判別される（ステップ１２１）。スタートボタンが押されると手順ガイドがスタートする。手順ガイドは音声ガイドと、ガイド内容の表示の双方が考えられるが、以下説明する例はガイド内容の表示例のみを示す。
【０１０５】
スタートボタンの操作によって、まず簡易包装袋１０に対する購入メッセージ（ガイド）が表示される（ステップ１２２）。タッチパネル７４を使用して「購入する」のキー（図示はしない）が押されたときは袋サイズを選択する旨のメッセージが表示され（ステップ１２３，１２４）、大、中、小の袋サイズが選択されたときは、簡易包装袋１０の販売価格（料金）が表示される（ステップ１２５，１２６）。入金が確認されると簡易包装袋１０の販売処理となり、上述した簡易包装袋１０の排出機構が作動して指定されたサイズの簡易包装袋１０が取り出し口６４ａより排出される（ステップ１２７，１２８）。
【０１０６】
簡易包装袋１０を購入済みであるとき、あるいは別個に用意された包装袋があるときは、ステップ１２４からステップ１２８までパスされる。
何れの場合でも搬送物８が収められた袋があると、次のステップ１２９に進み、続けて配送処理を行うかどうかがタッチパネル７４のソフトキーを使用して判別される。
【０１０７】
簡易包装袋１０を購入だけの場合には、「いいえ」のキーを押すことで、そのままこのガイド処理が終了するが、続けて配送処理を行う「はい」のキーが操作されたときは（ステップ１２９）、購入した簡易包装袋１０をサイズ読み取り部７０に載せるよう促すメッセージが表示され、載置されるとバーコード１８の読み取り処理が行われる（ステップ１３０，１３１）。バーコードを読み取ることで簡易包装袋１０のサイズが判る。サイズ情報は、爾後の配送料算出処理のための情報として活用される。
【０１０８】
次に、タッチパネル７４のテンキー（１０キー）を使用して郵便番号の入力処理を促すメッセージが表示され、その下欄の表示部を利用して荷受け主と荷主の郵便番号がそれぞれ該当する表示欄に数値で入力される（ステップ１３２）。郵便番号の入力が終了したときは「終了」キーを押すことで、入力処理を確認できる（ステップ１３３）。
【０１０９】
終了キーが押されたときは、配送料の算出処理に遷移する（ステップ１３４）。荷受け主と荷主の郵便番号から、どこからどこまで配送するかが判り、また配送すべき搬送物８のサイズも判るので、料金マスタ１０２の情報を利用して配送料が算出される。算出された配送料は画面に表示され、入金を促す（ステップ１３４）。
【０１１０】
入金が確認されると配送伝票の発行処理に移る（ステップ１３５，１３６）。配送伝票には、荷受け主の住所、荷主の住所がそれぞれ印刷されて出力されるので、ここにそれぞれの住所の番地および荷受け主と荷主の氏名、電話番号などを記入することで、配送伝票が完成する。
【０１１１】
なお、郵便番号ではなく、荷受け主と荷主の電話番号（若しくは携帯番号）を入力すれば、番地まで入った完全な住所と氏名をそれぞれ出力させることができるから、その場合には完成度の高い配送伝票を発行できる。ただし、このような関連する情報が料金マスタに保存されていることが配送伝票発行の条件となる。
【０１１２】
この配送伝票の発行処理と同時に、袋サイズの情報から対応するサイズの搬送容器２０を販売すべく、搬送容器２０の排出機構が作動することで、取り出し口６４ｂから搬送容器２０が装置外に排出される（ステップ１３７）。その後は、エア注入処理のみとなるので、搬送容器２０等の組み立て処理、搬送物８が入った簡易包装袋１０の収納処理を促すメッセージが表示されると共に、エア注入処理の手順を表示することで簡易包装袋の販売からエア注入処理までの一連の荷造り処理が全て終了することになる（ステップ１３８）。
【０１１３】
上述したステップ１２８および１３７で、簡易包装袋１０や搬送容器２０を販売したときは、減算カウンタが動作して、残量値が更新されることは言うまでもない。
【０１１４】
エア注入処理例を図１７を参照して説明する。
エア注入処理のためのプログラムは搬送容器２０の排出処理に関連して起動される。この処理プログラムが起動すると、オンオフスイッチの出力をチェックする（ステップ１５１）。連結チューブ８０の連結口８２が給排気弁４４等に完全に連結されたことが確認されたときは、エア注入用の操作ボタン８４が点灯する（ステップ１５２）。これでエア注入してもよいことが確認できる。操作ボタン８４の操作が確認されるとエア注入が開始される（ステップ１５３）。リリーフ機能が作動してエア注入が終了すると（ステップ１５４）、操作ボタン８４が点滅状態に変わる（ステップ１５５）。これで、エア注入の終了を視覚的に認識できる。次に操作ボタン８４が再度操作されたかどうかを確認し（ステップ１５６）、その操作が確認されると操作ボタン８４が消灯し、エア注入のための一連の処理が終了する（ステップ１５７）。
【０１１５】
エア注入が終了した搬送容器は、配送伝票と共にレジに持参して受け付ければ、配送依頼が完了する。搬送容器２０が荷受け主に届けられると、搬送容器２０を開封して、エアクッション部２０のエアを抜き、その後、中の荷物（搬送物）を取り出し、搬送容器２０を回収する。
【０１１６】
搬送容器２０は、宅配業者が適宜回収した後、搬送容器販売・梱包装置５０の内部に装填される。また、荷受け主が搬送容器２０を開封した後、後日搬送容器販売・梱包装置５０の設置されている店頭へ出向き、搬送容器２０を店員へ引き渡すようにしてもよい。
【０１１７】
こうすることで、エアクッション部付き搬送容器２０を再利用できる。搬送容器２０内にはエアクッションや新聞紙などの緩衝材が入っていないので、荷受け主側としてはそれらを廃棄処分する手間が全くかからない。宅配業者側も緩衝材を処分しないでも済むメリットがある。
【実施例２】
【０１１８】
実施例１に示した緊締機構３０はバックル構成である。図１８に示す実施例は、面ファスナーなどを使用して緊締機構３０を構成した場合である。したがって容器本体の構成（面板の配置関係）は図１と同じである。
【０１１９】
この例では、底面板２２以外の全ての面板２４Ａ，２４Ｂ，２６Ａ，２６Ｂおよび２８の側面部に長方形状をなす所定幅の固定板３２０〜３２８が折り曲げ自在に設けられる。そのため、各面板２４Ａ等と各固定板３２０等との間には、上述したと同じようなＶ字溝３５が設けられている。
【０１２０】
各固定板３２０〜３２８の一面（内面）には、この例ではその全面に面ファスナー３３０〜３３８を構成する例えば帯状をなすオス型の面ファスナー３３０ａ〜３３８ａが取着される。取着はこの例では両面接着材によるが、縫合でもよい。以下も同じである。組み立てたときこれらの固定板３２０〜３２８に対峙する各面板２４Ａ等の外面には、オス型の面ファスナー３３０ａ〜３３８ａに対応して、同じ形状をなすメス型の面ファスナー３３０ｂ〜３３８ｂが取り付けられている。
【０１２１】
このような複数の面ファスナー３３０〜３３８を緊締機構３０として使用することで、組み立て後の立体形状を維持できる。固定板３２０〜３２８や面ファスナー３３０〜３３８の形状などは任意である。
【０１２２】
搬送容器３００をこのように構成すると、この搬送容器３００を箱型に組み立て、内部に搬送物８を収納し、その状態でエア注入しても、上述したような固定板と面ファスナーを用いた緊締機構を利用することで、組み立て形状を確実に保持することができる。
【０１２３】
なお、上述した実施例１，２において、搬送容器を六面体とした例を用いたが、必ずしも六面体に限定されることはなく、立体形状をなす容器であればよい。
【０１２４】
また、底面板に取着されるエアクッション部の隅部を、側面板や頂面板に取着されるエアクッション部の如く、仮止め部によって仮止めされる構成としてもよい。
【実施例３】
【０１２５】
実施例１及び２では、いずれも本止め部４２の他に仮止め部４３を設けて、エアクッション部３６，３８，３９を特定の面部に固定するようにしていたが、エアクッション部３６，３８，３９のほぼ中央部に本止め部４２のみを設けてエアクッション部３６，３８，３９を各面部に固定するようにしても、所期の目的を達成できる。その構成は実施例１、実施例２と同様であるので省略する。
【産業上の利用可能性】
【０１２６】
この発明は、小物、割れ物、精密機械部品などを梱包し、搬送するための再利用可能な搬送容器として適用できる。
【図面の簡単な説明】
【０１２７】
【図１】この発明に係るエアクッション部付き搬送容器の一例を示す展開図である。
【図２】その外面を展開した図である。
【図３】この発明に係るエアクッション部付き搬送容器を組み立てた状態の一例を示す斜視図である。
【図４】搬送容器に使用される緊締機構の一例を示す構成図である。
【図５】底面板とエアクッション部との関係を示す中央断面図である。
【図６】エアを注入した状態を示す図５と同様な中央断面図である。
【図７】左側面板とエアクッション部との関係を示す周縁部近傍の断面図である。
【図８】エアを注入した状態を示す図７と同様な周縁部近傍の断面図である。
【図９】搬送容器を組み立てたときのエアクッション部の関係を示す断面図である。
【図１０】搬送容器を組み立て、内部に搬送物を収納するときの搬送物とエアクッション部の関係を示す断面図である。
【図１１】エア注入を完了したときのエアクッション部と搬送物との関係を示す断面図である。
【図１２】本止め部と仮止め部の他の例を示す平面図である。
【図１３】搬送容器に使用される中袋としての簡易包装袋の一例を示す斜視図である。
【図１４】この発明を適用できる搬送容器販売・梱包装置の一例を示す斜視図である。
【図１５】この発明を適用した搬送容器販売・梱包装置の一例を示すブロック図である。
【図１６】その処理動作の一例を示すフローチャートである。
【図１７】エア注入処理例を示すフローチャートである。
【図１８】この発明に係るエアクッション部付き搬送容器の更に他の例を示す展開図である。
【図１９】従来の搬送容器の説明図である。
【図２０】従来と対比するための搬送容器の説明図である。
【図２１】図２０の搬送容器を使用したときの収納手順例を示す図である（その１）。
【図２２】図２０の搬送容器を使用したときの収納手順例を示す図である（その２）。
【図２３】図２０の搬送容器を使用したときの収納状態を示す図である。
【符号の説明】
【０１２８】
８・・・搬送物（荷物）
１０・・・簡易包装袋
２０，３００・・・搬送容器
２２・・・底面板
２４Ａ，２４Ｂ・・・側面板
２６Ａ，２６Ｂ・・・側面板
２８・・・頂面板
３０・・・緊締機構
３６，３８，３９・・・エアクッション部
４０・・・エア連通管
４２・・・本止め部
４３（４３Ａ〜４３Ｅ）・・・仮止め部
４４・・・給排気弁
５０・・・販売・梱包装置
５２・・・装置本体
５４・・・簡易判定部
５２Ａ・・・容器販売部
５２Ｂ・・・入力部
７０・・・サイズ読み取り部
３２０〜３２８・・・固定板
３３０〜３３８・・・面ファスナー
【図１】
2006219183.tif 000003
【図２】
2006219183.tif 000004
【図３】
2006219183.tif 000005
【図４】
2006219183.tif 000006
【図５】
2006219183.tif 000007
【図６】
2006219183.tif 000008
【図７】
2006219183.tif 000009
【図８】
2006219183.tif 000010
【図９】
2006219183.tif 000011
【図１０】
2006219183.tif 000012
【図１１】
2006219183.tif 000013
【図１２】
2006219183.tif 000014
【図１３】
2006219183.tif 000015
【図１４】
2006219183.tif 000016
【図１５】
2006219183.tif 000017
【図１６】
2006219183.tif 000018
【図１７】
2006219183.tif 000019
【図１８】
2006219183.tif 000020
【図１９】
2006219183.tif 000021
【図２０】
2006219183.tif 000022
【図２１】
2006219183.tif 000023
【図２２】
2006219183.tif 000024
【図２３】
2006219183.tif 000025